(57)【要約】【課題】本体部の傾きをなくしながらこの本体部を凹部に押し込むことができるようになり、配設作業を容易に行えるようになる開閉装置の気密部材を提供すること。【解決手段】開閉移動する開閉体と、開閉移動しない不動部材となっている枠部材４との間を気密状態にする気密部材２０は、本体部２１と、この本体部２１から延出している突片部２２とを有し、本体部２１は、開閉体と枠部材４とのうち、一方に設けられた凹部３０に挿入され、突片部２２は他方に弾性的に接触する。気密部材２０には、本体部２１から突片部２２と同じ側へ延出している押圧力受け部２３が設けられており、凹部３０に本体部２１を挿入するために突片部２２に凹部３０側への押圧力を指３１により作用させたときに、この押圧力は押圧力受け部２３によって受けられる。【選択図】図５
2018178402.tif 000002
【特許請求の範囲】
【請求項１】
開閉移動する開閉体と、開閉移動しない不動部材とを含んで構成されている開閉装置に、前記開閉体と前記不動部材との間を気密状態にするために用いられる気密部材であって、本体部と、この本体部から延出している突片部とを有し、前記開閉体と前記不動部材とのうち、一方に設けられた凹部に前記本体部が挿入され、前記本体部から前記他方の側へ延出している前記突片部が前記他方に弾性的に接触する開閉装置の気密部材において、
前記本体部から前記突片部と同じ側へ延出している押圧力受け部を有し、前記凹部に前記本体部を挿入するために前記突片部に作用させた前記凹部側への押圧力を前記押圧力受け部によって受けることが可能となっていることを特徴とする開閉装置の気密部材。
【請求項２】
請求項１に記載の開閉装置の気密部材において、前記本体部が前記凹部の内部の所定深さまでに挿入されたときも、前記押圧力受け部のうち、少なくとも延出方向の先端部が前記凹部から突出していることを特徴とする開閉装置の気密部材。
【請求項３】
請求項１又は２に記載の開閉装置の気密部材において、前記突片部は、前記本体部の幅方向両側のうち、一方の側から延出しており、前記押圧力受け部は他方の側から延出していることを特徴とする開閉装置の気密部材。
【請求項４】
請求項１〜３のいずれかに記載の開閉装置の気密部材において、前記押圧力受け部は、前記本体部側での幅寸法が大きく、延出方向の先端部側での幅寸法が小さい台形又は略台形の形状となっていることを特徴とする開閉装置の気密部材。
【請求項５】
請求項１〜４のいずれかに記載の開閉装置の気密部材において、前記突片部における前記本体部側の部分は、前記本体部側での幅寸法が大きく、延出方向の先端部側での幅寸法が小さい台形又は略台形のベース部となっていることを特徴とする開閉装置の気密部材。
【請求項６】
請求項５に記載の開閉装置の気密部材において、前記ベース部の前記本体部からの突出高さは、前記押圧力受け部の前記本体部からの突出高さと同じ又は略同じになっていることを特徴とする開閉装置の気密部材。
【請求項７】
請求項１〜６のいずれかに記載の開閉装置の気密部材において、前記本体部の幅方向両側の面には、前記凹部の内面に弾性的に接触する突起が形成されていることを特徴とする開閉装置の気密部材。
【請求項８】
請求項１〜７のいずれかに記載の開閉装置の気密部材において、前記凹部は前記不動部材に設けられているとともに、前記開閉体は前記不動部材に対してスライド移動するスライド体であり、このスライド体における前記突片部が弾性的に接触する面には突部が設けられ、前記突片部の先端には、前記本体部側へ折り返されていて、前記突部を乗り越え可能となっている折り返し部が設けられていることを特徴とする開閉装置の気密部材。
【発明の詳細な説明】
【技術分野】
【０００１】
本発明は、引き戸装置や開き戸装置等の開閉装置に用いられる気密部材に係り、開閉移動する開閉体と、開閉移動しない枠部材等の不動部材との間の気密状態を確保するために利用されるものである。
【背景技術】
【０００２】
開閉移動する開閉体と、開閉移動しない不動部材とを含んで構成されている開閉装置には、開閉体と不動部材との間を気密状態にするための気密部材が用いられ、下記の特許文献１に示されている開閉装置は、開閉体がスライド移動する扉体となっている引き戸装置である。そして、この引き戸装置に用いられている気密部材は、本体部と、この本体部から延出している突片部とを有するものとなっており、扉体に対して開閉移動しない不動部材となっている枠部材には、本体部が挿入された凹部が形成されており、この本体部から扉体側へ延出した突片部が扉体に弾性的に接触している。
【先行技術文献】
【特許文献】
【０００３】
【特許文献１】特開２０１５−１３２０８７号公報（図２、図７及び図８）
【発明の概要】
【発明が解決しようとする課題】
【０００４】
上述の気密部材では、本体部が枠部材に形成された凹部に挿入されることにより、この気密部材は枠部材に配設される。このような気密部材の配設作業を行うためには、指で突片部を弾性的に本体部側へ折り曲げることにより、この突片部に凹部側への押圧力を作用させ、これによってこの押圧力が伝達される本体部を凹部に押し込むことが行われるが、押圧力を本体部の幅方向全体に均一に作用させることが困難である等の理由により、本体部が傾いて凹部に押し込まれてしまい、本体部を凹部に真っ直ぐに押し込むことが難しいため、気密部材の配設作業が手間のかかる作業となることがある。
【０００５】
本発明の目的は、本体部の傾きをなくしながらこの本体部を凹部に押し込むことができるようになり、配設作業を容易に行えるようになる開閉装置の気密部材を提供するところにある。
【課題を解決するための手段】
【０００６】
本発明に係る開閉装置の気密部材は、開閉移動する開閉体と、開閉移動しない不動部材とを含んで構成されている開閉装置に、前記開閉体と前記不動部材との間を気密状態にするために用いられる気密部材であって、本体部と、この本体部から延出している突片部とを有し、前記開閉体と前記不動部材とのうち、一方に設けられた凹部に前記本体部が挿入され、前記本体部から前記他方の側へ延出している前記突片部が前記他方に弾性的に接触する開閉装置の気密部材において、前記本体部から前記突片部と同じ側へ延出している押圧力受け部を有し、前記凹部に前記本体部を挿入するために前記突片部に作用させた前記凹部側への押圧力を前記押圧力受け部によって受けることが可能となっていることを特徴とするものである。
【０００７】
この気密部材には、本体部から突片部と同じ側へ延出している押圧力受け部が設けられており、この押圧力受け部により、凹部に本体部を挿入するために突片部に作用させた凹部側への押圧力を受けることが可能となっているため、気密部材の本体部を凹部に挿入する際に、押圧力は突片部と押圧力受け部を介して本体部に伝達されることになり、このため、本体部の傾きをなくしながらこの本体部を凹部に押し込むことができ、これにより、気密部材の配設作業を容易に行えるようになる。
【０００８】
以上において、気密部材の本体部が挿入される凹部は、不動部材に設けられていてもよく、あるいは、開閉体に設けられていてもよい。したがって、気密部材の突片部が弾性的に接触するものは、開閉体でもよく、あるいは、不動部材でもよい。
【０００９】
以上の本発明に係る気密部材において、本体部が凹部の内部の所定深さまでに挿入されたときも、押圧力受け部のうち、少なくとも延出方向の先端部が凹部から突出していることが好ましい。
【００１０】
これによると、凹部に挿入された本体部がこの凹部の内部の所定深さに達するまで、押圧力受け部によって前記押圧力を受けることができ、これにより、凹部の内部の所定深さまで本体部を挿入するための作業全体をとおして、本体部の傾きをなくしながら本体部を凹部に押し込むことができる。
【００１１】
また、突片部が、本体部の幅方向両側のうち、一方の側から延出している場合には、押圧力受け部を他方の側から延出させることが好ましい。
【００１２】
これによると、前記押圧力は、突片部と押圧力受け部を介して本体部に伝達されるため、この押圧力を本体部の幅方向全体に略均一状態にさせて本体部に伝達することができ、これにより、本体部が凹部の内部で傾いてしまうことを一層有効に防止することができて、本体部を凹部に真っ直ぐ又は略真っ直ぐに押し込むことができるようになる。
【００１３】
さらに、押圧力受け部を、本体部側での幅寸法が大きく、延出方向の先端部側での幅寸法が小さい台形又は略台形の形状としてもよい。
【００１４】
これによると、押圧力受け部によって受けられた押圧力を、形状が台形又は略台形となっている押圧力受け部を介して本体部に有効に伝達できるようになる。
【００１５】
また、突片部における本体部側の部分を、本体部側での幅寸法が大きく、延出方向の先端部側での幅寸法が小さい台形又は略台形のベース部としてもよい。
【００１６】
これによると、上述の押圧力受け部と同様に、押圧力を、台形又は略台形となっているベース部を介して本体部に有効に伝達できるようになる。
【００１７】
さらに、ベース部の本体部からの突出高さを、押圧力受け部の本体部からの突出高さと同じ又は略同じにしてもよい。
【００１８】
これによると、ベース部と押圧力受け部の両方に押圧力を均一又は略均一にさせて作用させることができ、これにより、本体部を凹部に一層真っ直ぐ又は略真っ直ぐに押し込むことができるようになる。
【００１９】
以上の本発明に係る気密部材は、本体部と、この本体部から延出している突片部とを有するものであれば、他の部分が設けられているものでもよく、その一例の気密部材は、本体部の幅方向両側の面に、凹部の内面に弾性的に接触する突起が形成されているものである。
【００２０】
さらに、気密部材の本体部が挿入される凹部が不動部材に設けられているとともに、開閉体が不動部材に対してスライド移動するスライド体であって、このスライド体における気密部材の突片部が弾性的に接触する面に突部が設けられている場合には、突片部の先端には、本体部側へ折り返されていて、突部を乗り越え可能となっている折り返し部が設けられていてもよい。
【００２１】
これによると、スライド体がスライド移動しているときに、突片部の先端に設けられている折り返し部がスライド体に設けられている突部を乗り越えるため、突片部がこの突部によってスライド体のスライド方向にめくり上がってしまうことを防止できる。
【００２２】
以上説明した本発明に係る気密部材は、任意の開閉装置に適用することができ、この開閉装置は、例えば、引き戸装置でもよく、開き戸装置でもよく、折れ戸装置でもよく、可動間仕切り装置でもよい。また、本発明に係る気密部材は、建物以外のものに設置される開閉装置にも適用できる。
【発明の効果】
【００２３】
本発明によると、気密部材の本体部の傾きをなくしながらこの本体部を凹部に押し込むことができるようになり、気密部材の配設作業を容易に行えるという効果を得られる。
【図面の簡単な説明】
【００２４】
【図１】図１は、本発明の一実施形態に係る気密部材が用いられている引き戸装置の全体を示す正面図である。
【図２】図２は、図１のＳ２−Ｓ２線断面図である。
【図３】図３は、気密部材の斜視図である。
【図４】図４は、図１及び図２で示されている戸先側縦枠部材と、この戸先側縦枠部材に配設されている気密部材とを示す平断面図である。
【図５】図５は、図４で示されている気密部材の本体部を戸先側縦枠部材の凹部に挿入する作業を示す平断面である。
【図６】図６は、図１及び図２で示されている竪額縁部材に配設された気密部材の折り返し部の作用を示す平断面図である。
【発明を実施するための形態】
【００２５】
以下に本発明を実施するための形態を図面に基づいて説明する。本実施形態に係る開閉装置は、図１で示す引き戸装置である。このため、本実施形態に係る開閉体は、図１において左右方向に開閉移動することにより、開口部となっている出入口２を開閉する扉体１であり、この出入口２は、出入口の上方に配置された無目３と、扉体１の閉じ側に配置された戸先側縦枠部材４と、扉体１の閉じ方向の途中に配置された竪額縁部材５とからなる三方枠の内側に形成されている。
【００２６】
左右方向にスライドするスライド体になっている扉体１は、上吊り式の扉体であるため、点検カバー３Ａが着脱可能に取り付けられている無目３の内部には、扉体１の上部に配置された吊り車が転動自在に載置係合している上部ガイドレール部材等からなる扉体移動機構が収納され、また、床６には、扉体１の下部に配置されたローラ７が転動自在に載置係合している下部ガイドレール部材８が敷設されている。さらに、床６には、回転中心軸の軸方向が鉛直方向となっているガイドローラ９が回転自在に立設配置されており、このガイドローラ９が収納される溝が下面に左右方向に延設されている扉体１は、上部ガイドレール部材と、下部ガイドレール部材８と、ガイドローラ９とに案内されて開閉移動する。また、扉体１には、扉体１の厚さ方向に貫通形成された覗き窓用のドアスコープ１０が取り付けられている。
【００２７】
図２は、図１のＳ２−Ｓ２線断面図であり、図１に示されている壁等は省略されている。この図２には、戸先側縦枠部材４に配設された気密部材２０が、全閉位置に達している扉体１の厚さ方向両側の表面に接触している状態が示されている。また、図２には、扉体１の厚さ方向両側のうち、一方の側に配設されている竪額縁部材５に気密部材２０が配設されていて、この気密部材２０が、扉体１の厚さ方向両側の表面のうち、一方の表面に接触している状態も示されており、扉体１の高さ方向が長さ方向となっているこれらの気密部材２０により、扉体１と、戸先側縦枠部材４及び竪額縁部材５との間の気密性が確保されている。
【００２８】
なお、以上の本実施形態において、前述のスライド体である扉体１が開閉移動する開閉体となっているのに対し、戸先側縦枠部材４及び竪額縁部材５は開閉移動しない不動部材となっている。
【００２９】
図３には気密部材２０が示されている。この気密部材２０は、全体が弾力性を有する合成ゴム又は天然ゴムで形成され、かつ長さ方向と直交する断面形状が同一形状となって長さ方向に連続している。そして、気密部材２０は、内部に空洞部２１Ａが形成された本体部２１と、この本体部２１の幅方向（言い換えると、扉体１の開閉移動方向）両側のうち、一方の側において、本体部２１から延出している突片部２２とを有するものとなっており、この突片部２２は、本体部２１側のベース部２２Ａと、このベース部２２Ａの先端から外側へ凸状に湾曲しながら、本体部２１の幅方向両側のうち、他方の側へ延伸している延伸部２２Ｂとを備えたものとなっており、延伸部２２Ｂの先端には、延伸部２２Ｂよりも小さい曲率半径で外側へ凸状に湾曲しながら本体部２１側へ折り返されている折り返し部２２Ｃが設けられている。
【００３０】
突片部２２のうち、延伸部２２Ｂと折り返し部２２Ｃは、図１及び図２で示した扉体１の表面に弾性的に接触し、これにより、扉体１と、戸先側縦枠部材４及び竪額縁部材５との間の気密性が確保されるようになっている。
【００３１】
ベース部２２Ａは、本体部２１側の幅寸法が大きくて、ベース部２２Ａの延出方向の先端部側（言い換えると、本体部２１側とは反対側）の幅寸法が小さい台形又は略台形の形状となっており、また、延伸部２２Ｂと折り返し部２２Ｃは、ベース部２２Ａの最小幅寸法と同じ又は略同じになっている厚さが連続したものとなっている。
【００３２】
本体部２１の幅方向両側のうち、突片部２２が設けられている側とは反対側（言い換えると、前記他方の側）には、押圧力受け部２３が形成されており、この押圧力受け部２３は、本体部２１から突片部２２と同じ側へ、すなわち、気密部材２０が戸先側縦枠部材４及び竪額縁部材５に配設されたときに扉体１側となる側へ延出している。この押圧力受け部２３も、突片部２２のベース部２２Ａと同様に、本体部２１側の幅寸法が大きくて、押圧力受け部２３の延出方向の先端部側の幅寸法が小さい台形又は略台形の形状となっている。また、押圧力受け部２３の先端部は、突片部２２の折り返し部２２Ｃまで達しておらず、押圧力受け部２３の先端部と突片部２２の折り返し部２２Ｃとの間には、間隔が存在しており、押圧力受け部２３の先端部と突片部２２の折り返し部２２Ｃは、接触していない。
【００３３】
そして、本実施形態に係る気密部材２０において、突片部２２の一部となっているベース部２２Ａの本体部２１からの突出高さは、押圧力受け部２３の本体部２１からの突出高さと同じ又は略同じになっている。
【００３４】
なお、本実施形態に係る気密部材２０では、突片部２２のうち、台形又は略台形の形状となっているベース部２２Ａは、全体として押圧力受け部２３から離れる方向に傾きながら本体部２１から延出している。
【００３５】
また、本実施形態に係る気密部材２０では、本体部２１の幅方向両側の面において、複数の突起２４が形成されており、本体部２１にヒレ状に設けられているこれらの突起２４は、突片部２２及び押圧力受け部２３の側への傾き角度をもって本体部２１の幅方向両側の面から突出形成されている。また、本体部２１における突片部２２及び押圧力受け部２３が設けられた箇所とは反対側の箇所には、気密部材２０の全体の高さ寸法を調整可能とするための複数の高さ調整部２５が重なり合って設けられている。三角状凸部の先端で本体部２１や他の高さ調整部２５と接続されているこれらの高さ調整部２５は、引っ張り力により三角状凸部の先端での接続が切断されて個別に剥離可能となっているため、本体部２１に接続されている高さ調整部２５の個数を変えることにより、気密部材２０の全体の高さ寸法が調整される。
【００３６】
そして、高さ調整部２５の個数を変えることにより、後述するように、戸先側縦枠部材４と竪額縁部材５に形成されている凹部の内部の所定深さまで気密部材２０の本体部２１を挿入したときに、凹部から突出する気密部材２０の突片部２２の突出量が調整され、この突出量を適正量とすることができる。
【００３７】
図４及び図６には、気密部材２０が戸先側縦枠部材４と竪額縁部材５に配設されたときの状態が拡大されて示されている。板金の折り曲げ品であるこれらの戸先側縦枠部材４と竪額縁部材５には、扉体１側が開口している凹部３０が形成されており、これらの凹部３０に気密部材２０の本体部２１が挿入されることにより、気密部材２０は、弾性変形した突起２４が凹部３０の内面に弾性接触して戸先側縦枠部材４と竪額縁部材５に配設される。
【００３８】
図５には、気密部材２０の本体部２１を凹部３０に挿入するための作業が示されている。作業者は、指３１を気密部材２０の突片部２２の延伸部２２Ｂの外面に当てて、延伸部２２Ｂをベース部２２Ａに対して折り曲げることにより、指３１により突片部２２に凹部３０側への押圧力を作用させる。これにより、延伸部２２Ｂの内面が押圧力受け部２３の先端部に当接して、指３１からの押圧力は、押圧力受け部２３で受けられることになり、このため、この押圧力は、押圧力受け部２３と、突片部２２のベース部２２Ａとを介して本体部２１に伝達される。このため、本体部２１が凹部３０に挿入されるときに、凹部３０の内面と弾性接触することでこの挿入時の抵抗力が生ずる突起２４が、本体部２１の幅方向両側の面に設けられていても、本体部２１が凹部３０の内部で傾くことなくこの本体部２１を凹部３０に押し込むことができ、これにより、本体部２１を凹部３０に挿入することよって実施される気密部材２０の配設作業を容易に行うことができる。
【００３９】
また、突片部２２のベース部２２Ａは、前述したように、本体部２１の幅方向両側のうち、一方の側に設けられ、押圧力受け部２３は、他方の側に設けられているため、本体部２１に伝達される上記押圧力は、本体部２１の幅方向全体に略均一状態となって本体部２１に作用し、このため、本体部２１を凹部３０に真っ直ぐ又は略真っ直ぐに押し込むことができる。
【００４０】
さらに、押圧力受け部２３は、前述したように、本体部２１側の幅寸法が大きくて、押圧力受け部２３の延出方向の先端部側の幅寸法が小さい台形又は略台形の形状となっており、突片部２２のベース部２２Ａも、本体部２１側の幅寸法が大きくて、ベース部２２Ａの延出方向の先端部側の幅寸法が小さい台形又は略台形の形状となっているため、これらの押圧力受け部２３と突片部２２のベース部２２Ａとを介して本体部２１に伝達される上記押圧力は、本体部２１の幅方向全体に一層均一状態に近い状態となって本体部２１に作用することになり、これにより、本体部２１を凹部３０に真っ直ぐ又は略真っ直ぐに押し込むことを一層有効に実現できる。
【００４１】
また、前述したように、ベース部２２Ａの本体部２１からの突出高さは、押圧力受け部２３の本体部２１からの突出高さと同じ又は略同じになっているため、ベース部２２Ａと押圧力受け部２３の両方に押圧力が均一又は略均一となって作用することになり、このため、本体部２１を凹部３０に一層真っ直ぐ又は略真っ直ぐに押し込むことができる。
【００４２】
図４及び図６は、気密部材２０の本体部２１が凹部３０の内部の所定深さまで挿入されたときの状態を示している。なお、気密部材２０の本体部２１が凹部３０の内部の所定深さまで挿入されたときとは、図４及び図６では、本体部２１に複数の高さ調整部２５が残されているため、最下段の高さ調整部２５が凹部３０の底部に接触したときであり、本体部２１に高さ調整部２５が残されていない場合には、本体部２１が凹部３０の底部に接触したときである。図４及び図６から分かるように、本体部２１が凹部３０の内部の所定深さまで挿入されたときでも、押圧力受け部２３の先端部と、突片部２２のベース部２２Ａの先端部は、凹部３０から突出している。このため、本体部２１を凹部３０の内部の所定深さまで挿入する作業全体をとおして、指３１からの押圧力を、押圧力受け部２３と、突片部２２のベース部２２Ａとを介して本体部２１に作用させ続けることができ、このため、本体部２１が凹部３０の内部の所定深さまで挿入されるまで、本体部２１が凹部３０の内部で傾いてしまうことはなく、本体部２１を凹部３０に真っ直ぐ又は略真っ直ぐに押し込むことができる。
【００４３】
以上の作業により、気密部材２０は戸先側縦枠部材４と竪額縁部材５に配設され、この配設後においては、気密部材２０の突片部２２と押圧力受け部２３は、本体部２１から扉体１側へ延出しており、扉体１の厚さ方向の表面に弾性的に接触する突片部２２により、扉体１と、戸先側縦枠部材４及び竪額縁部材５との間の気密性が確保される。
【００４４】
また、図６は、全閉位置まで達した扉体１が全開位置に向かって移動しているときの状態を示している。前述したように、扉体１にはドアスコープ１０が取り付けられ、このドアスコープ１０は、気密部材２０の突片部２２が弾性的に接触している扉体１の表面１Ａから突出した突部となっているフランジ部１０Ａを有する。扉体１が全開位置に向かって移動しているときに、フランジ部１０Ａは気密部材２０の突片部２２に当接するが、突片部２２の先端には、本体部２１側へ折り返されている折り返し部２２Ｃが設けられ、この折り返し部２２Ｃの折り返し量は、扉体１の表面１Ａからのフランジ部１０Ａの突出量よりも大きく、折り返し部２２Ｃがフランジ部１０Ａを乗り越えて扉体１は移動するため、突片部２２がフランジ部１０Ａによって扉体１の移動方向にめくり上がってしまうことを防止できることになる。
【産業上の利用可能性】
【００４５】
本発明は、引き戸装置や開き戸装置等の開閉装置の開閉移動する開閉体と、開閉移動しない枠部材等の不動部材との間の気密状態を確保するために利用することができる。
【符号の説明】
【００４６】
１  開閉体であって、スライド体となっている扉体
４  不動部材である戸先側建枠部材
５  不動部材である竪額縁部材
１０Ａ  突部となっているドアスコープのフランジ部
２０  気密部材
２１  本体部
２２  突片部
２２Ａ  ベース部
２２Ｂ  延伸部
２２Ｃ  折り返し部
２３  押圧力受け部
２４  突起
３０  凹部
【図１】
2018178402.tif 000003
【図２】
2018178402.tif 000004
【図３】
2018178402.tif 000005
【図４】
2018178402.tif 000006
【図５】
2018178402.tif 000007
【図６】
2018178402.tif 000008